(57)【要約】【課題】コントロールケーブルのインナーケーブルの破損を防止することができる、アウターケーシング保持具およびケーブルガイドを提供する。【解決手段】コントロールケーブルのアウターケーシングの端部の先端面および外周面を覆う有底筒状の本体と、該本体内部の前記アウターケーシングの先端面に当接する突き当て部に形成された、前記アウターケーシングの端部の内周面の少なくともライナーの面取りされた部分を覆う筒状の突起とからなるアウターケーシング保持具。およびケーブルが挿通される挿通部と円弧状案内部とのあいだに、前記ケーブルの先端部に設けられた端末部材を収容するための保持面を有する保持部が形成され、前記保持面が、組立時に一時的に前記端末部材の根元側の端面と面接触するようにされたケーブルガイド。【選択図】図１
2005195093.tif 000002
【特許請求の範囲】
【請求項１】
コイル状のアウタースプリングの内面にライナーが挿入され、かつ、該アウタースプリングの外面にアウターコート層が被覆されてなるアウターケーシングと、該アウターケーシング内部に摺動自在に配索されたインナーケーブルとからなり、前記ライナーの内周面端部が面取りされたコントロールケーブルのアウターケーシング端部を保持するためのアウターケーシング保持具であって、
前記アウターケーシングの端部の先端面および外周面を覆う有底筒状の本体と、該本体内部の前記アウターケーシングの先端面に当接する突き当て部に形成された、前記アウターケーシングの端部の内周面の少なくとも前記ライナーの面取りされた部分を覆う筒状の突起とからなるアウターケーシング保持具。
【請求項２】
前記突起の高さが、０．４〜５ｍｍである請求項１記載のアウターケーシング保持具。
【請求項３】
前記突起が、先端に向かうにつれて厚さが薄くなるように形成されてなる請求項１または２記載のアウターケーシング保持具。
【請求項４】
略筒状を呈し、内部にケーブルが挿通される挿通部、および該挿通部に連続して前記ケーブルを略円弧状に案内するための円弧状案内部を有する、ケーブルを摺動自在に案内するためのケーブルガイドであって、
前記ケーブルの先端部に設けられた端末部材に無理な負荷がかからないように当該端末部材を固定し、前記インナーケーブルに曲げぐせが生じないように前記端末部材を保持するための保持面を有する保持部が形成され、
前記保持面が、組立時に一時的に前記端末部材の根元側の端面と面接触することができるケーブルガイド。
【請求項５】
前記保持部が前記挿通部と円弧状案内部とのあいだに形成された略Ｖ字状の切欠部であり、前記保持面が前記切欠部の２つの内面のうち、前記挿通部側の内面である請求項４記載のケーブルガイド。
【請求項６】
前記保持面が、当該保持面の法線と前記挿通部の軸方向に対して平行または３０度以下の傾斜になるように形成されてなる請求項４または５記載のケーブルガイド。
【請求項７】
コイル状のアウタースプリングの内面にライナーが挿入され、かつ、該アウタースプリングの外面にアウターコート層が被覆されてなるアウターケーシングが前記挿通部内部に挿入され得るように、前記挿通部の内径が設定され、かつ、前記アウターケーシングの先端面が当接する前記挿通部の内奥面において、前記アウターケーシングの端部の内周面の少なくとも前記ライナーの面取りされた部分を覆う筒状の突起が形成されてなる請求項４、５または６記載のケーブルガイド。
【発明の詳細な説明】
【技術分野】
【０００１】
本発明はアウターケーシング保持具およびケーブルガイドに関する。さらに詳しくは、コントロールケーブルのインナーケーブルの破損を防止することができる、アウターケーシング保持具およびケーブルガイドに関する。
【背景技術】
【０００２】
従来、図７に示される自動車用ウインドレギュレータにおいて、コントロールケーブルを用いて、窓ガラスの昇降を行なっている。具体的には、従来の一般的なウインドレギュレータ３１は、図７に示されるように、自動車のドアの内側部分を構成するインナーパネル６１に固定され、インナーパネル６１と自動車のドアの外側部分を構成するアウターパネル６２とのあいだの空間部に収納されている。図７に示されるドアの窓ガラス６４は、ウインドレギュレータ３１によって、インナーパネル６１とアウターパネル６２とのあいだの隙間を通してサッシュ６６で案内されながら上下方向に移動することができる。
【０００３】
ウインドレギュレータ３１は、図７に示されるように、インナーケーブル３２、および内部にインナーケーブル３２が摺動自在に配索されたアウターケーシング３３を有するコントロールケーブル３４と、インナーケーブル３２を引き駆動する駆動部３５と、インナーケーブル３２に固定され、かつ窓ガラス６４の端部を保持するキャリアプレート３６と、インナーパネル６１にブラケット３７ａ、３７ｂを介して取り付けられ、キャリアプレート３６を所定の方向に案内するガイドレール３７とから構成されている。
【０００４】
また、駆動部３５は、ハウジング３８内部に収納されたケーブルドラム、および該ケーブルドラムを駆動するモータ３９を備えており、インナーパネル６１側の面に固定されている。インナーケーブル３２の一端はハウジング３８内部のケーブルドラムに係止されており、また他端はキャリアプレート３６に係止されている。
【０００５】
インナーケーブル３２はモータ３９により回転されるケーブルドラムにより巻き取られ、プーリ４０またはケーブルガイド４１によりガイドされるとともに方向転換されている。またハウジング３８、具体的には、ハウジング３８内部のアウターエンドホルダとプーリ４０またはケーブルガイド４１とのあいだのインナーケーブル３２は上下２ヵ所に分割されたアウターケーシング３３にガイドされている。
【０００６】
アウターケーシング３３は、アウターケーシング保持具を介してガイドレール３７のプーリ４０またはケーブルガイド４１近傍の所定の組付け位置、および駆動部３５のハウジング３８の所定の組付け位置に保持されている。
【０００７】
従来のコントロールケーブル３４に用いられるアウターケーシング３３は、具体的には、図８に示されるように、コイル状のアウタースプリング４２の内面にライナー４３が挿入され、かつ、該アウタースプリング４２の外面にアウターコート層４４が被覆されることにより作製されている。インナーケーブル３２は、アウターケーシング３３内部のすべりやすい材質からなるライナー４３に接触しながら摺動することができる。
【０００８】
ここで、コントロールケーブル３４を駆動部３５とガイドレール３７側のプーリ４０またはケーブルガイド４１とのあいだに取り付けるために、アウターケーシング３３を所定の長さに切断する必要がある。アウターケーシング３３を切断した場合、ライナー４３の端部にバリが生じ、またアウタースプリング４２が内側へ倒れ込み、アウターケーシング３３内部の通路を狭め、アウタースプリング４２の内側への倒れ込みがインナーケーブル３２に接触することによって、インナーケーブル３２の磨耗や損傷のおそれになる。そのため、アウターケーシング３３を切断したのち、図８に示されるように、ライナー４３の端部とアウタースプリング４２に面取り加工を施すことにより、ライナー４３のバリと、アウタースプリング４２の内側への倒れ込みを除去している。
【０００９】
一方、ライナー４３を面取りするに際し、面取りの程度が少ないと、面取りされた部分４５のうち最も先端側の端縁においてライナーのバリは除去されるが、アウタースプリング４２が内側へ倒れ込んだ状態となるため、インナーケーブル３２と前記アウタースプリング４２とが接触し、摺動を続けていくうちにインナーケーブル３２が切断するおそれがある。
【００１０】
そこで、図９に示されるように合成樹脂などからなる筒状のブッシュ５１をアウターケーシング３３の先端から挿入することにより、面取りされた部分４５を覆ってインナーケーブル３２とアウタースプリング４２との接触を防止することが考えられる。前記筒状のブッシュ５１は、アウターケーシング３３を内側から保持するために、一般的に全長が３ｍｍ以上必要である。
【００１１】
また、図７に示されるウインドレギュレータ３１のガイドレール３７に設けられ、インナーケーブル３２を摺動自在に案内するためのケーブルガイド４１は、図１０〜１１に示されるように、略筒状を呈し、内部に前記インナーケーブル３２が挿通される挿通部４６、および該挿通部４６に連続して前記インナーケーブル３２を略円弧状に案内するための円弧状案内部４７を有している。該円弧状案内部４７には、略Ｖ字状断面を呈する溝４７ａが形成されている。
【００１２】
ところで、かかるウインドレギュレータの一連の組立工程では、ガイドレール３７にケーブルガイド４１を組み付ける工程において、インナーケーブル３２の滑りをよくするために、インナーケーブル３２と接触する円弧状案内部４７の溝４７ａの内面にグリスの塗布が行なわれる。このとき、グリスが塗布される円弧状案内部４７の溝４７ａの内面を露出させるために、図１２に示されるように、すでに配索されているインナーケーブル３２を円弧状案内部４７の一端（具体的には、挿通部４６近傍の端部）に引き寄せる必要がある。
【発明の開示】
【発明が解決しようとする課題】
【００１３】
しかしながら、図９に示されるように、面取りされた部分４５を保護するブッシュ５１をアウターケーシング３３の内周面に挿入すれば、ブッシュ５１のほぼ全長分だけ、アウターケーシング３３の端部が内側から拘束されるため、アウターケーシング３３の曲げ吸収長さが短くなる。そのため、長年使用して窓ガラスの昇降のためにインナーケーブル３２を繰り返し出し入れすれば、アウターケーシング３３の端部は、曲げ吸収長さが短くなった分だけ部分的に大きな曲げ荷重を受けることによって曲げ癖が生じたり、ひいては破損するなどの原因になる。そのため、インナーケーブル３２を繰り返し出し入れする環境下では、図９に示される筒状ブッシュ５１を適用することができず、インナーケーブルの破損を防止することができなかった。
【００１４】
また、ブッシュ５１を設定することにより、アウターケーシング３３に挿入するための専用治具およびブッシュ５１を挿入する部分のライナーを除去する作業が（アウタースプリング４２の面取り以外に）ブッシュ追加により部品数が上下のアウターケーシング３３の両端に必要なので４点増加する。
【００１５】
また、図１２に示されるケーブルガイドにおいて、インナーケーブル３２を一端に引き寄せたときに、インナーケーブル３２の端末部材４８の根元側の端面４８ａがケーブルガイド４１の上面４９に面接触するため、インナーケーブル３２は、その端末部材４８の近傍の部分において大きく屈曲し、曲がり癖がつく（いいかえれば、残留曲げひずみが生じる）という問題がある。インナーケーブル３２に曲がり癖が付いた場合、インナーケーブル３２を繰り返し使用しているあいだに、前記曲がった付近でインナーケーブル３２が破断しやすくなるという問題がある。
【００１６】
本発明はかかる問題を解消するためになされたものであり、コントロールケーブルのインナーケーブルの破損を防止することができる、アウターケーシング保持具およびケーブルガイドを提供することを目的とする。
【課題を解決するための手段】
【００１７】
本発明の請求項１にかかわるアウターケーシング保持具は、コイル状のアウタースプリングの内面にライナーが挿入され、かつ、該アウタースプリングの外面にアウターコート層が被覆されてなるアウターケーシングと、該アウターケーシング内部に摺動自在に配索されたインナーケーブルとからなり、前記ライナーの内周面端部が面取りされたコントロールケーブルのアウターケーシング端部を保持するためのアウターケーシング保持具であって、
前記アウターケーシングの端部の先端面および外周面を覆う有底筒状の本体と、該本体内部の前記アウターケーシングの先端面に当接する突き当て部に形成された、前記アウターケーシングの端部の内周面の少なくとも前記ライナーの面取りされた部分を覆う筒状の突起とからなることを特徴とする。
【００１８】
前記突起の高さが、０．４〜５ｍｍであるのが好ましい。
【００１９】
前記突起が、先端に向かうにつれて厚さが薄くなるように形成されてなるのが好ましい。
【００２０】
本発明の請求項４にかかわるケーブルガイドは、略筒状を呈し、内部にケーブルが挿通される挿通部、および該挿通部に連続して前記ケーブルを略円弧状に案内するための円弧状案内部を有する、ケーブルを摺動自在に案内するためのケーブルガイドであって、前記ケーブルの先端部に設けられた端末部材に無理な負荷がかからないように当該端末部材を固定し、前記インナーケーブルに曲げぐせが生じないように前記端末部材を保持するための保持面を有する保持部が形成され、
前記保持面が、組立時に一時的に前記端末部材の根元側の端面と面接触することができることを特徴とする。
【００２１】
前記保持部が前記挿通部と円弧状案内部とのあいだに形成された略Ｖ字状の切欠部であり、前記保持面が前記切欠部の２つの内面のうち、前記挿通部側の内面であるのが好ましい。
【００２２】
前記保持面が、当該保持面の法線と前記挿通部の軸方向に対して平行または３０度以下の傾斜になるように形成されてなるのが好ましい。
【００２３】
コイル状のアウタースプリングの内面にライナーが挿入され、かつ、該アウタースプリングの外面にアウターコート層が被覆されてなるアウターケーシングが前記挿通部内部に挿入され得るように、前記挿通部の内径が設定され、かつ、前記アウターケーシングの先端面が当接する前記挿通部の内奥面において、前記アウターケーシングの端部の内周面の少なくとも前記ライナーの面取りされた部分を覆う筒状の突起が形成されてなるのが好ましい。
【発明の効果】
【００２４】
本発明のアウターケーシング保持具によれば、アウターケーシングの曲げ吸収長さを確保しながらライナーの面取り部分を保護することができる。その結果、面取り部分においてアウタースプリングが露出した部分とインナーケーブルとが接触することがなく、インナーケーブルの破損を防止することができる。
【００２５】
本発明のケーブルガイドによれば、円弧状案内部にグリスを塗布する作業のために、コントロールケーブルのインナーケーブルなどのケーブルを一端に引き寄せたときにケーブルが端末部材の近傍において大きく屈曲するのを防止し、ケーブルに曲がり癖がつくことがなくなる。したがって、使用時にケーブルが屈曲した付近で破断することがなく、ケーブルの寿命を大幅に伸ばすことができる。
【発明を実施するための最良の形態】
【００２６】
つぎに図面を参照しながら本発明のアウターケーシング保持具およびケーブルガイドをさらに詳細に説明する。図１は本発明のアウターケーシング保持具の一実施の形態を示す斜視説明図、図２は図１のアウターケーシング保持具をコントロールケーブル端部に取り付けた状態を示す断面説明図、図３は本発明のケーブルガイドの一実施の形態を示す正面図、図４は図３のケーブルガイドの平面図、図５は図３のケーブルガイドに配索されたインナーケーブルが挿通部の近傍に引き寄せられた状態を示す説明図、および図６は本発明のケーブルガイドの他の実施の形態を示す正面図である。
【００２７】
本実施の形態のアウターケーシング保持具１は、図１〜２に示されるように、前述の図７に示されるコントロールケーブル３４のアウターケーシング３３の端部をガイドレール３７のプーリ４０またはケーブルガイド４１近傍の所定の組付け位置、および駆動部３５のハウジング３８の所定の組付け位置に保持するために用いられる。
【００２８】
すなわち、本実施の形態のアウターケーシング保持具１は、圧延された鋼線などをコイル状に巻いたアウタースプリング４２の内面にすべり性のよいポリエチレン系樹脂材料などからなるライナー４３が挿入され、かつ、該アウタースプリング４２の外面に塩化ビニル系樹脂材料などの軟質の合成樹脂または合成ゴムなどからなるアウターコート層４４が被覆されてなるアウターケーシング３３と、該アウターケーシング３３内部に摺動自在に配索されたインナーケーブル３２とからなり、ライナー４３とアウタースプリング４２の端部に面取りが施されて面取り部分４５が形成されたコントロールケーブル３４の端部を保持するためのアウターケーシング保持具である。
【００２９】
アウターケーシング保持具１は、アウターケーシング３３の端部の先端面および外周面を覆う有底筒状の本体２と、該本体２内部のアウターケーシング３３の先端面に当接する突き当て部３に形成された、前記アウターケーシング３３の端部の内周面の少なくとも前記ライナーの面取りされた部分４５を覆う筒状の突起４とから構成されている。
【００３０】
アウターケーシング保持具１は、たとえばポリアセタール系樹脂材料などの合成樹脂を用いて作製され、たとえば本体２および突起４を一体形成することにより作製される。
【００３１】
突起４は、ライナー４３の面取り部分４５、とくにアウタースプリング４２が露出している可能性のある少なくとも先端部を少なくとも覆うことができる程度の高さがあればよく、本発明においてとくに限定されるものではないが、ほぼ０．４〜５ｍｍ程度の高さに設定される。
【００３２】
アウターケーシング保持具１をコントロールケーブル３４の先端部にかぶせることにより、本体１がアウターケーシング３３の先端面および外側面に接触しながら被覆することにより、アウターケーシング３３を外側から保持し、それとともに、突起４が、インナーケーブル３２がアウタースプリング４２の面取り部分４５に触れるのを防止することができる。
【００３３】
また、アウターケーシング３３は、アウターケーシング保持具１の本体２の内周面と若干の隙間をもたせて保持され、しかもアウターコート層４４は軟質の合成樹脂などからなり、柔軟性に富むため、アウターケーシング保持具１がない状態と同程度のアウターケーシング３３の曲げ吸収長さ７〜１２ｍｍ程度を確保することができる。したがって、アウターケーシング３３の座屈などの破損のおそれがなくなる。
【００３４】
また、本実施の形態では、突起４が、先端に向かうにつれて厚さが薄くなるように形成されているため、ライナー４３とインナーケーブル３２とのあいだの隙間が小さくても、当該隙間に突起４を容易かつ確実に挿入し、面取り部分４５を確実に覆うことができる。
【００３５】
以上の実施の形態では、アウターケーシング３３の端部に面取りを施された場合について述べたが、アウターケーシング３３の端部に面取りが施されていない場合にも用いることができる。
【００３６】
本実施の形態のケーブルガイド２１は、前述した従来のケーブルガイド４１と同様に、ウインドレギュレータのガイドレール３７（図７参照）に設けられ、前記コントロールケーブル３４のインナーケーブル３２（図７参照）を摺動自在に案内するものである。ケーブルガイド２１は、図３〜４に示されるように、略筒状を呈し、内部に前記インナーケーブル３２が挿通される挿通部２２、および該挿通部２２に連続して前記インナーケーブル３２を略円弧状に案内するための円弧状案内部２３を有している。円弧状案内部２３は、インナーケーブル３２を所定の角度（たとえば９０度）だけ略円弧状に案内できるように円弧状に延び、当該円弧状案内部２３には、インナーケーブル３２を収容するための略Ｖ字状断面を呈する溝２３ａが形成されている。
【００３７】
ケーブルガイド２１は、インナーケーブル３２が摺動しやすい材質であれば、種々の材質を採用することができ、たとえばポリアセタール系樹脂材料などの合成樹脂で作製することができる。
【００３８】
本実施の形態のケーブルガイド２１では、挿通部２２と円弧状案内部２３とのあいだには、インナーケーブル３２の先端部に設けられた端末部材４８を保持するための保持部として略Ｖ字状の切欠部２４が形成され、当該略Ｖ字状の切欠部２４の２つの内面のうち、挿通部２２側の内面２５が保持面として端末部材４８の根元側の端面４８ａと面接触するようになっている。
【００３９】
それにより、ウインドレギュレータの一連の組立工程における前記ガイドレール３７（図７参照）にケーブルガイド２１を組み付ける工程において、グリスが塗布される円弧状案内部２３の溝２３ａの内面を露出させるために、図５に示されるように、インナーケーブル３２を円弧状案内部２３の挿通部２２近傍の端部に引き寄せた場合に、インナーケーブル３２の端末部材４８が前記切欠部２４に収容され、前記端末部材４８の根元側の端面４８ａが内面２５に面接触するため、インナーケーブル３２を大きく屈曲させることなく引き寄せることができる。したがって、インナーケーブル３２に曲がり癖がつく惧れがなくなるので、インナーケーブル３２の使用時において当該インナーケーブル３２が曲がり癖のついた箇所から破断することが防止され、その結果、インナーケーブル３２の寿命を大幅に延ばすことができる。
【００４０】
しかも、本実施の形態では、端末部材４８を略Ｖ字状の切欠部２４内部に確実に収容することができるため、端末部材４８がグリス塗布作業のじゃまになることがないので、スムーズにかつ効率よくグリスの塗布を行なうことができる。
【００４１】
前記略Ｖ字状の切欠部２４の挿通部２２側の内面２５を、当該内面２５の法線が前記挿通部２２の軸方向に対しての角度θは（図３参照）平行または３０度以下の傾斜になるように形成すれば、インナーケーブル３２を曲がり癖がつくことなく、端末部材４８を内面２５に確実に面接触させることができる。前記角度θは、加工が可能なかぎり、できるだけ小さくするのが、インナーケーブルの曲がりを小さくする点からは好ましい。
【００４２】
また、本実施の形態では、図８に示されるようなコントロールケーブル３４のアウターケーシング３３、すなわち、コイル状のアウタースプリング４２の内面にライナー４３が挿入され、かつ、該アウタースプリング４２の外面にアウターコート層４４が被覆されてなるアウターケーシング３３が前記挿通部２２内部に挿入され得るように、前記挿通部２２の内径が設定されている。しかも、アウターケーシング３３の先端面が当接する前記挿通部２２の内奥面において、アウターケーシング３３の端部の内周面の少なくとも前記アウタースプリング４２の面取りされた部分を覆う筒状の突起２６が形成されている。それにより、ケーブルガイド２１の挿通部２２にコントロールケーブル３４の先端部を挿入することにより、当該挿通部２２がアウターケーシング３３の先端面および外側面に接触しながら被覆することにより、アウターケーシング３３を外側から保持し、それとともに、筒状の突起２６が、インナーケーブル３２がアウタースプリング４２の面取り部分４５に触れるのを防止することができる。
【００４３】
前記図３〜５に示される実施の形態では、インナーケーブル３２の端末部材４８を保持するための保持部として、略Ｖ字状の切欠部２４が形成され、挿通部２２側の内面２５が保持面として端末部材４８の根元側の端面４８ａと面接触するようになっているが、本発明はこれに限定されるものではない。
【００４４】
たとえば、本発明のケーブルガイドの他の実施の形態として、図６に示されるケーブルガイド３０は、挿通部２７の延長線上に、インナーケーブル３２の先端部に設けられた端末部材４８を保持するための保持部として、インナーケーブル３２を円弧状に案内するための溝２８ａを有する円弧状案内部２８の一部が上面および側面が直交するように突出し、側面２９が保持面として端末部材４８の根元側の端面４８ａと面接触するようになっている。このような図６に示されるケーブルガイド３０においても、前記ガイドレール３７（図７参照）にケーブルガイド３０を組み付ける工程において、グリスが塗布される円弧状案内部２８の溝２８ａの内面を露出させるために、インナーケーブル３２を溝２８ａから外して挿通部２７の延長線上にくるまで引き寄せれば、インナーケーブル３２の端末部材４８の根元側の端面４８ａが円弧状案内部２８の側面２９に面接触するため、インナーケーブル３２を大きく屈曲させることなく引き寄せることができる。したがって、図６に示されるケーブルガイド３０を用いた場合でも、インナーケーブル３２に曲がり癖がつく惧れがなくなるので、インナーケーブル３２の使用時において当該インナーケーブル３２が曲がり癖のついた箇所から破断することが防止され、その結果、インナーケーブル３２の寿命を大幅に延ばすことができる。
【００４５】
なお、本明細書では、ケーブルガイドによって案内される摺動自在のケーブルの一例として、自動車用ウインドレギュレータのコントロールケーブルにおけるインナーケーブルを例にあげて説明したが、本発明はこれに限定されるものではなく、本発明のケーブルガイドによって、アウターケーシングの端部に合成樹脂製の端末部材を設定している各種コントロールケーブルの摺動自在のケーブルを案内することができる。
【図面の簡単な説明】
【００４６】
【図１】本発明のアウターケーシング保持具の一実施の形態を示す斜視説明図である。
【図２】図１のアウターケーシング保持具をコントロールケーブル端部に取り付けた状態を示す断面説明図である。
【図３】本発明のケーブルガイドの一実施の形態を示す正面図である。
【図４】図３のケーブルガイドの平面図である。
【図５】図３のケーブルガイドに配索されたインナーケーブルが挿通部の近傍に引き寄せられた状態を示す説明図である。
【図６】本発明のケーブルガイドの他の実施の形態を示す正面図である。
【図７】ウインドレギュレータを備えたドアを分解した状態の斜視説明図である。
【図８】コントロールケーブルの断面図である。
【図９】従来のブッシュをコントロールケーブル端部に取り付けた状態を示す断面図である。
【図１０】従来のケーブルガイドの正面図である。
【図１１】図１０のケーブルガイドの平面図である。
【図１２】図１０のケーブルガイドに配索されたインナーケーブルが挿通部の近傍に引き寄せられた状態を示す説明図である。
【符号の説明】
【００４７】
１  アウターケーシング保持具
２  本体
３  突き当て部
４  突起
２１、３０  ケーブルガイド
２２  挿通部
２３  円弧状案内部
２４  略Ｖ字状の切欠部
２５  内面
２６  突起
【図１】
2005195093.tif 000003
【図２】
2005195093.tif 000004
【図３】
2005195093.tif 000005
【図４】
2005195093.tif 000006
【図５】
2005195093.tif 000007
【図６】
2005195093.tif 000008
【図７】
2005195093.tif 000009
【図８】
2005195093.tif 000010
【図９】
2005195093.tif 000011
【図１０】
2005195093.tif 000012
【図１１】
2005195093.tif 000013
【図１２】
2005195093.tif 000014